(57)【要約】【課題】風の指向性を向上させるとともに、簡単な構造により、通風路の遮断を可能としたレジスタを提供する。【解決手段】山形凸条６，７の直ぐ上流側に前可動ルーバ５が、前フィン５１をその支軸を短手方向に向け且つ空気吹出口２の長手方向に間隔をおいて並設される。前可動ルーバ５の上流側の通風路内に、１枚の奥フィン８１からなる奥可動ルーバ８が、長手方向に沿った支軸を介して回動可能に軸支される。奥可動ルーバ８の奥フィン８１を通過する空気流は縮流されて前可動ルーバ５に送られ、前可動ルーバ５を通過する空気流は、長手方向に風向が変えられ、山形凸条６，７を通過して空気吹出口２から送風される。奥可動ルーバ８の奥フィン８１は最大傾斜角度近傍まで回動したとき、通風路３の内壁に端部を当接させて通風を遮断する。【選択図】図３
2014091376.tif 000002
【特許請求の範囲】
【請求項１】
長手方向に長く短手方向に短い細長の空気吹出口がケース本体内の通風路の前部に設けられ、該空気吹出口近傍の該長手方向に沿った該通風路内の両内側面に、上流側に傾斜面を有する山形凸条が該長手方向に沿って形成され、該山形凸条の該傾斜面の方向が該通風路の上流側に向けられ、該山形凸条は該通風路の空気流を該空気吹出口の中央寄りに曲げて吹出すように形成され、
該山形凸条の直ぐ上流側に複数の前フィンを有する前可動ルーバが、短手方向に沿った支軸を介して該前フィンを回動可能に、且つ該長手方向に間隔をおいて並設され、該前可動ルーバの上流側の該通風路内に、該短手方向に風向を変える１枚の奥フィンを有する奥可動ルーバが該長手方向に沿った支軸を介して回動可能に軸支され、
該奥可動ルーバは、該奥フィンの回動によって縮流された空気流を、該山形凸条によって該奥フィンによる短手方向の曲げと逆の方向に曲げて、風向を短手方向に変えるように構成され、さらに該奥可動ルーバは、該奥フィンが最大傾斜角度近傍まで回動したとき、該通風路の内壁に該奥フィンの端部が当接して通風を遮断するように構成されたことを特徴とするレジスタ。
【請求項２】
前記山形凸条は、前記空気吹出口近傍の内側面の対向した両側に、該空気吹出口の長手方向に同一横断面を持って連続して形成され、該山形凸条の下流側の面が、前方に向けて広がるように開口した形状に形成されたことを特徴とする請求項１記載のレジスタ。
【請求項３】
前記奥可動ルーバの上流側近傍の前記通風路内壁面に、奥山形凸条が前記長手方向に沿って突設されたことを特徴とする請求項１または２記載のレジスタ。
【発明の詳細な説明】
【技術分野】
【０００１】
本発明は、自動車等の空調の空気吹出口に使用される空気吹出調整用のレジスタに関し、特に長手方向に長く短手方向に短い細長の空気吹出口を有した薄型のレジスタに関する。
【背景技術】
【０００２】
空調装置の空気吹出調整用のレジスタとして、通風路を形成するベゼルまたはリテーナ内に、横可動ルーバと縦可動ルーバを前後して直交するように配設し、ベゼルに設けた空気吹出口から空気を吹き出す際、横可動ルーバ、縦可動ルーバの各フィンの角度を変えて空気の吹出し方向を調整するレジスタが、自動車の空調などで使用されている。
【０００３】
近年、自動車用の空調に使用されるレジスタでは、長手方向に長く短手方向に短い細長の空気吹出口を有し、空気吹出口の内側に１〜３枚程度の少数の前可動フィンを設けた薄型のレジスタが、主として意匠性やデザイン的なデマンドから製作される場合がある。このようなレジスタは、例えば下記特許文献１などで知られている。
【先行技術文献】
【特許文献】
【０００４】
【特許文献１】特開２００２−１０３９５４号公報
【発明の概要】
【発明が解決しようとする課題】
【０００５】
この種の薄型レジスタは、細長の空気吹出口の内側に、枚数が１〜３枚程度の前可動フィンが長手方向に沿って配置され、その前可動フィンの上流側に多数の後可動フィンが、前可動フィンと直交する短手方向に枢支され、長手方向に間隔をおいて並設される。しかし、レジスタの空気吹出口が長手方向に長く短手方向に短い細長形状であるが故に、通風路から空気吹出口に向けて送風される空気流が短手方向に圧縮されて縮流が発生しやすく、特に、その縮流によって、後可動フィンを長手方向に振った際の風の指向性が悪化しやすいという現象が生じていた。
【０００６】
すなわち、この種の細長の空気吹出口を有する従来のレジスタは、通常、図７に示すように、レジスタのケース本体７０内に形成された通風路７１の前部に長手方向に長く短手方向に短い細長の空気吹出口７２が設けられ、空気吹出口７２の内側に、枚数の少ない例えば３枚の前可動フィン７３が長手方向に沿って配置され、その前可動フィン７３の上流側に、枚数の多い後可動フィン７４が前可動フィン７３と直交する方向に配置された構造となっている。
【０００７】
しかし、このような所謂スリットタイプのレジスタは、図７の如く、空気吹出口７２が長手方向に長く短手方向に短い細長形状であるが故に、通風路７１から空気吹出口７２に向けて送風される空気流が短手方向に圧縮されて縮流が発生しやすく、特に、後可動フィン７４を左右につまり長手方向に振ったとき、後可動フィン７４と前可動フィン７３間の近傍で、空気流の縮流つまり上下短手方向に圧縮された空気の流れが発生しやすい。
【０００８】
このため、前可動フィン７３を上下に振った状態で、後可動フィン７４を左右につまり長手方向に振ったとき、空気流の方向が縮流によって戻されることにより、風が曲がりにくく、後可動フィン７４の向きを変えたときの風の指向性が悪化しやすいという課題があった。
【０００９】
また、レジスタ内には、通風路を遮断するために、通常、ダンパプレートが配設されるが、ダンパプレートに必要なレジスタ内のスペース、或いはその部品に伴うレジスタの大型化や部品点数の増大が問題となっている。
【００１０】
本発明は、上記の点に鑑みてなされたもので、風の指向性を向上させるとともに、簡単な構造により、通風路の遮断を可能としたレジスタを提供することを目的とする。
【課題を解決するための手段】
【００１１】
本発明に係るレジスタは、長手方向に長く短手方向に短い細長の空気吹出口がケース本体内の通風路の前部に設けられ、該空気吹出口近傍の該長手方向に沿った該通風路内の両内側面に、上流側に傾斜面を有する山形凸条が該長手方向に沿って形成され、該山形凸条の該傾斜面の方向が該通風路の上流側に向けられ、該山形凸条は該通風路の空気流を該空気吹出口の中央寄りに曲げて吹出すように形成され、該山形凸条の直ぐ上流側に複数の前フィンを有する前可動ルーバが、短手方向に沿った支軸を介して該前フィンを回動可能に、且つ該長手方向に間隔をおいて並設され、該前可動ルーバの上流側の該通風路内に、該短手方向に風向を変える１枚の奥フィンを有する奥可動ルーバが該長手方向に沿った支軸を介して回動可能に軸支され、該奥可動ルーバは、該奥フィンの回動によって縮流された空気流を、該山形凸条によって該奥フィンによる短手方向の曲げと逆の方向に曲げて、風向を短手方向に変えるように構成され、さらに該奥可動ルーバは、該奥フィンが最大傾斜角度近傍まで回動したとき、該通風路の内壁に該奥フィンの端部が当接して通風を遮断するように構成されたことを特徴とする。
【００１２】
この発明によれば、１枚の奥フィンのみの回動により、風向を短手方向に変えることができ、例えば、奥フィンを短手方向の、例えば斜め上方に向けた場合、通風路を流れる空気流は、先ず奥フィンにより短手方向の斜め上方に曲げられて縮流され、縮流された状態で前可動ルーバを通り、そこで前可動ルーバの向きに応じて長手方向に風向を変え、その状態で、空気流は次に山形凸条を通り短手方向の斜め下方に偏向されて曲げられ、空気吹出口から送風される。
【００１３】
このため、短手方向（例えば上下）に風向を変える変流部は、奥フィンの箇所が縮流部となり、山形凸条の部分が偏向部となって、風向を短手方向（例えば斜め下方または上方）に曲げる際の変流動作が、奥フィンによる縮流と山形凸条による偏向に分割されることとなる。
【００１４】
このために、空気流が可動ルーバから山形凸条を通過する際、縮流（圧縮された空気の流れ）が減少し、それにより、前可動ルーバを回動して風向を長手方向に変える際、風向が縮流により戻される現象が低減される。このため、長手方向に長く短手方向に短い細長の空気吹出口を有したスリットタイプのレジスタであっても、奥フィンを短手方向に振った状態で、前可動ルーバの向きを長手方向に振ったとき、縮流により風が戻されることがなく、前可動ルーバの向きに応じて風向を良好に変え、風の指向性を向上させることができる。
【００１５】
さらに、奥可動ルーバは奥フィンを最大傾斜角度近傍まで回動させたとき、通風路の通風を遮断するので、通風路の閉鎖用にダンパプレートをレジスタ内に設ける必要がなく、そのためのスペースを削減してケース本体の小型化が可能となり、部品点数の削減を図ることができる。
【００１６】
ここで、上記山形凸条は、空気吹出口近傍の内側面の対向した両側に、空気吹出口の長手方向に同一横断面を持って連続して形成し、さらに、山形凸条の下流側の面を、前方に向けて広がるように開口した形状に形成することが好ましい。これによれば、奥フィンを短手方向に振った状態で、可動ルーバの可動フィンの向きを変えたときの風の指向性を向上させることができる。
【００１７】
また、上記奥可動ルーバの上流側近傍の通風路内壁面に、奥山形凸条を上記長手方向に沿って突設することが好ましい。これによれば、奥可動ルーバの奥フィンが傾動したとき、奥山形凸条により、壁面に沿った空気流を、奥フィンの傾動方向に効果的に偏向させ、風の指向性を向上させることができる。
【発明の効果】
【００１８】
本発明のレジスタによれば、奥可動ルーバの向きを短手方向に振った状態で、前可動ルーバの向きを長手方向に振ったとき、縮流により風が戻されることがなく、前可動ルーバの向きに応じて風向を良好に変え、風の指向性を向上させることができる。また、奥可動ルーバの回動操作によって、送風を遮断することができる。
【図面の簡単な説明】
【００１９】
【図１】本発明の一実施形態を示すレジスタの正面図である。
【図２】同レジスタのII-II断面図である。
【図３】同レジスタのIII-III断面図である。
【図４】風向を短手方向上側に向けたときの縦断面図である。
【図５】風向を短手方向下側に向けたときの縦断面図である。
【図６】奥可動ルーバを回動操作して通風路を遮断した状態の縦断面図である。
【図７】従来のレジスタの断面説明図である。
【発明を実施するための形態】
【００２０】
以下、本発明の実施の形態を図面に基づいて説明する。図１はレジスタの正面図を示し、図２、３はその断面図を示している。レジスタのケース本体１は、略直方体の薄型の箱状に形成され、内部に高さの低い通風路３が形成され、薄型で所謂スリットタイプのレジスタを構成している。ケース本体１内の通風路３の末端開口部に空気の導入口が形成され、通風路前面には通風路３を通る空気を吹出すために、図１に示すように、横に細長い形状の空気吹出口２が形成されている。
【００２１】
空気吹出口２は、図１、２に示すように、偏平で細長いスリット状に形成され、長手方向（左右方向）に長く短手方向（上下方向）に短い横長の長方形に形成されている。空気吹出口２の直ぐ内側の上壁面と下壁面に、山形凸条６，７が空気吹出口２の長手方向に沿って設けられる。
【００２２】
上部と下部の山形凸条６，７は、空気吹出口２の直ぐ内側の上下両面に、長手方向に沿って形成され、各山形凸条６，７の高さは、この図面の実施形態では、空気吹出口２の高さ（縦方向の短辺の長さ）の約９％となっており、空気吹出口２の高さによっては、その高さの約７〜１２％とすることができる。
【００２３】
また、上部と下部の山形凸条６，７には、その上流側に傾斜面６ａ，７ａが形成されている。この山形凸条６，７の上流側の傾斜面６ａ，７ａは、各々、その傾斜方向を前可動ルーバ５の前フィン５１に向けて形成されており、この実施形態の傾斜面６ａ，７ａの水平線に対する傾斜角度は、ここでは約４５°に設定されるが、空気吹出口２の高さ（短手方向の長さ）によっては、約３５°〜５５°に設定することができる。
【００２４】
山形凸条６と山形凸条７は、図３に示すように、空気吹出口２の直ぐ内側壁面の対向した上部と下部に、空気吹出口２の横方向中央線に対し対称形に形成される。さらに、山形凸条６と山形凸条７は、略三角形状の同一横断面を持ってその長手方向に連続して形成されている。
【００２５】
他方、山形凸条６，７の下流側の面つまりレジスタの正面側の面は、前方に向けて広がるように、つまり前斜め上方と前斜め下方に向けて広がるように開口し、上部と下部の前方傾斜面として形成されている。この山形凸条６と山形凸条７は、図４，５に示すように、奥可動ルーバ８の奥フィン８１の下流側先端を、上方或いは下方に向けたとき、空気吹出口２から吹き出される空気流の方向を下方或いは上方に曲げるように作用する。
【００２６】
つまり、奥可動ルーバ８の奥フィン８１の下流側先端を上側（斜め上方）に向けた場合、図５のように、通風路３を流れる空気流は、その上壁面近傍に沿って流れ、上側の山形凸条６の傾斜面６ａに当たって下方に曲げられ、斜め下方に送風されるようなっている。
【００２７】
他方、奥フィン８１の下流側先端を下側（斜め下方）に向けた場合、図４のように、通風路３を流れる空気流は、その下壁面近傍に沿って流れ、下側の山形凸条７の傾斜面１２ａに当たって上方に曲げられ、斜め上方に送風されるようなっている。
【００２８】
また、斜め下方または斜め上方の送風時には、前方に向けて広がるように開口した前方傾斜面により風が良好にガイドされ、風の指向性が開口部の縁で乱されることなく、送風されるようになっている。
【００２９】
さらに、図３に示すように、ケース本体１内の通風路３の上壁面１ａに、奥山形凸条１１が長手方向に沿って突設され、且つその下壁面１ｂには、奥山形凸条１２が長手方向に沿って突設される。上下の奥山形凸条１１，１２は、略三角形状の同一横断面を持って、通風路３内の上部と下部で対向して配置されている。
【００３０】
また、奥可動ルーバ８は通風路の遮断機能を備えており、その奥フィン８１を最大傾斜角度（ここでは、水平軸に対し約６０°）まで回動させたとき、奥フィン８１の上下端部を通風路３の上壁面１ａと下壁面１ｂに当接可能である。これにより、奥可動ルーバ８によって、通風路３を閉鎖し通風を遮断することができ、奥フィン８１は通風路３を閉鎖し得る形状及び大きさに形成される。なお、図示は省略されているが、奥フィン８１の上下端部には、スポンジシートなどを貼着し、隙間無く通風路３を密閉・閉鎖するように構成することができる。
【００３１】
奥可動ルーバ８の奥フィン８１は、図示しないダイヤルノブに連係され、その回動操作に応じて、奥フィン８１の向きを短手方向に変えるようになっている。なお、奥可動ルーバ８は、モータ駆動による可変風向装置に連係させることもでき、可変風向装置の動作により、奥フィン８１を短手方向に振って、風向を空気吹出口２の短手方向に（このレジスタでは上下方向に）変えることもできる。
【００３２】
さらに、ケース本体１の通風路３内の山形凸条６，７と奥可動ルーバ８との間、つまり、山形凸条６，７の直ぐ上流側で奥可動ルーバ８の直ぐ下流側に、複数の前フィン５１を有した前可動ルーバ５が奥可動ルーバ８と直交する方向に配設される。
【００３３】
図１，２に示すように、前可動ルーバ５は、短手方向に沿った支軸５２を介して複数の前フィン５１を回動可能に、且つ長手方向に間隔をおいて並設して構成され、奥可動ルーバ８を通り縮流された空気流を、前フィン５１の向きに応じて、空気吹出口２の長手方向に風向を変えるように構成される。
【００３４】
前可動ルーバ５の各前フィン５１は、空気吹出口２の上下方向（短手方向）に向けて縦に配設され、各前フィン５１の上端部と下端部に、支軸５２が短手方向に向けて突設される。各前フィン５１は、それらの支軸５２が、ケース本体１の上壁と下壁に間隔をおいて形成された軸孔に嵌入され、回動可能に軸支され、正面視で左右横方向に各前フィン５１の向きを変える。
【００３５】
図３に示すように、前可動ルーバ５の各前フィン５１の支軸５２には、クランク部５３が連結され、全クランク部５３の偏移軸５４に、１本のリンク部材５５が連結され、前可動ルーバ５の１つの前フィン５１が回動操作されたとき、全前フィン５１が連動して同じ方向に回動し向きを変える。前可動ルーバ５の前フィン５１は、図示しないダイヤルノブに連係され、その回動操作に応じて、向きを変えるように回動し、風向を空気吹出口２の長手方向に変えるようになっている。なお、前可動ルーバ５は、モータ駆動による可変風向装置に連係させることもでき、この場合、可変風向装置の動作により、風向を空気吹出口２の長手方向に（このレジスタでは右方向または左方向に）変える構造となる。
【００３６】
上記構成のレジスタは、送風方向を上方に変える場合、図４のように、奥可動ルーバ８の奥フィン８１の下流側先端部を、斜め下方に向くように回動させる。
【００３７】
これにより、通風路３を流れる空気流は、図４のように、奥可動ルーバ８の奥フィン８１により短手方向の斜め下方に曲げられて縮流され、縮流された状態で前可動ルーバ５の前フィン５１の間を通過し、そこで前可動ルーバ５の向きに応じて長手方向（左右方向）に風向を変え、その状態で、通風路３を流れる空気流は、その下壁面近傍に沿って流れ、下側の山形凸条７の傾斜面７ａに当たって上方に曲げられ、空気吹出口２から斜め上方に送風される。
【００３８】
一方、送風方向を下方に変える場合、図５のように、奥可動ルーバ８の奥フィン８１を、その下流側先端部を上方に向くように回動させる。
【００３９】
これにより、通風路３を流れる空気流は、図５のように、奥可動ルーバ８の奥フィン８１により短手方向の斜め上方に曲げられて縮流され、縮流された状態で前可動ルーバ５の前フィン５１の間を通過し、そこで前可動ルーバ５の向きに応じて長手方向（左右方向）に風向を変え、その状態で、通風路３を流れる空気流は、その上壁面近傍に沿って流れ、上側の山形凸条６の傾斜面６ａに当たって下方に曲げられ、空気吹出口２から斜め下方に送風される。
【００４０】
このように、短手方向（上下方向）に風向を変える変流部は、奥可動ルーバ８の部分が縮流部となり、山形凸条６，７の部分が偏向部となって、風向を短手方向の斜め下方または上方に曲げる際の変流動作は、奥可動ルーバ８による縮流と山形凸条６，７による偏向に分割されることとなる。このために、空気流が前可動ルーバ５から山形凸条６，７を通過する際、縮流（圧縮された空気の流れ）が減少し、それにより、前可動ルーバ５を回動して風向を左右長手方向に変える際、風向が縮流により戻される現象が低減される。
【００４１】
このため、長手方向に長く短手方向に短い細長の空気吹出口２を有したレジスタであっても、奥可動ルーバ８の向きを短手方向に振った状態で、前可動ルーバ５の向きを長手方向に振ったとき、縮流により風が戻されることがなく、前可動ルーバ５の向きに応じて風向を良好に変え、風の指向性を向上させることができる。
【００４２】
一方、通風路３の通風を遮断する場合には、図示しないダイヤルノブなどを操作して、奥可動ルーバ８の奥フィン８１を最大傾斜角度まで回動させる。このとき、図６に示す如く、奥フィン８１の上下両側端部が通風路３内の上壁面１ａ及び下壁面１ｂに当接し、通風路３が閉鎖され、通風が遮断される。
【００４３】
このように、奥可動ルーバ８の奥フィン８１を回動させて通風路３を遮断するので、ダンパプレートを奥可動ルーバ８の上流側などに設置する必要がなく、そのためのスペースを削減することができ、レジスタのケース本体を小型化することができる。また、ダンパプレートなどの部品点数を削減することができる。
【００４４】
なお、上記実施形態では、横長の空気吹出口２を有し縦に短い形状のケース本体１において、図１に示すように、前可動ルーバ５の前フィン５１を縦方向に向けて並設し、奥可動ルーバ８の奥フィン８１を水平横方向に沿って配設したが、それらを９０度回転させた状態とし、ケース本体を縦に長い形状として且つ縦に長いスリット状の空気吹出口をケース本体に設け、前可動ルーバの前フィンを空気吹出口の短手方向である水平横方向に沿って配設し、奥可動ルーバの奥フィンを空気吹出口の長手方向である縦方向に沿って設けることもできる。この場合、空気吹出口内側の山形凸条は空気吹出口の長手方向に沿った縦方向に設けることとなる。
【符号の説明】
【００４５】
１      ケース本体
１ａ    上壁面
１ｂ    下壁面
２      空気吹出口
３      通風路
５      前可動ルーバ
６      山形凸条
６ａ    傾斜面
７      山形凸条
７ａ    傾斜面
８      奥可動ルーバ
１１    奥山形凸条
１２    奥山形凸条
１２ａ  傾斜面
５１    前フィン
５２    支軸
５３    クランク部
５４    偏移軸
５５    リンク部材
７０    ケース本体
７１    通風路
７２    空気吹出口
７３    前可動フィン
７４    後可動フィン
８１    奥フィン
【図１】
2014091376.tif 000003
【図２】
2014091376.tif 000004
【図３】
2014091376.tif 000005
【図４】
2014091376.tif 000006
【図５】
2014091376.tif 000007
【図６】
2014091376.tif 000008
【図７】
2014091376.tif 000009